(57)【要約】【課題】発光型表示パネルと、発光型表示パネルの前面に配置された遮光部材との境目や、発光型表示パネル同士の境界部分が目立たない表示装置、および発光型表示パネルを複数、面内方向に並べて互いに連動する画像を表示したときでも、画像に違和感の発生しない表示装置の駆動方法を提供すること。【解決手段】表示装置５００では、３枚の有機ＥＬパネル１００Ａ、１００Ｂ、１００Ｃと、板状の遮光部材１２０と、遮光部材１２０の前側で遮光部材１２０および３枚の有機ＥＬパネル１００Ａ、１００Ｂ、１００Ｃの画素配列領域１０ａに対向する円偏光板１３０と、ベース板６００とが順に配置されている。有機ＥＬパネル１００Ａ、１００Ｂ、１００Ｃを駆動するにあたっては、１ライン分の画像データを各有機ＥＬパネルに転送した後、次の１ライン分の画像データを各有機ＥＬパネルに転送する。【選択図】図３
2010107551.tif 000002
【特許請求の範囲】
【請求項１】
発光型表示パネルと、
該発光型表示パネルの前面に当該発光型表示パネルの画像表示領域を避けて設けられた黒色の遮光部材と、
該遮光部材の前面および前記画像表示領域に対向するように設けられた円偏光板と、
を有することを特徴とする表示装置。
【請求項２】
前記発光型表示パネルは有機エレクトロルミネッセンス表示パネルであることを特徴とする請求項１に記載の表示装置。
【請求項３】
前記発光型表示パネルは、複数が隣接して設けられ、
前記遮光部材は、前記複数の発光型表示パネルのうち、隣接する発光型表示パネルの境界領域に前側で重なる境界遮光部を備えていることを特徴とする請求項１または２に表示装置。
【請求項４】
前記複数の発光型表示パネルのうち、隣接する発光型表示パネル同士は、端部が接していることを特徴とする請求項３に記載の表示装置。
【請求項５】
前記複数の発光型表示パネルは、前記遮光部材に固定されていることを特徴とする請求項３または４に記載の表示装置。
【請求項６】
前記発光型表示パネルに対して面内方向で隣接する位置に別の表示器を有し、
前記円偏光板の前には、前記表示器の背景を構成するベース板が設けられ、
当該ベース板には、前記複数の発光型表示パネルの画像表示領域に重なる領域が連続して切り欠かれた切り欠きが形成されていることを特徴とする請求項３乃至５の何れか一項に記載の表示装置。
【請求項７】
前記発光型表示パネルに対して面内方向で隣接する位置に別の表示器を有し、
前記円偏光板の前には、前記表示器の背景を構成するベース板が配置され、
当該ベース板には、前記発光型表示パネルの画像表示領域に重なる領域が切り欠かれた切り欠きが形成されていることを特徴とする請求項１乃至５の何れか一項に記載の表示装置。
【請求項８】
前記ベース板は、黒色であることを特徴とする請求項６または７に記載の表示装置。
【請求項９】
前記発光型表示パネルに対して面内方向で隣接する位置に別の表示器が設けられ、
前記遮光部材は、前記表示器の背景を構成していることを特徴とする請求項１乃至５の何れか一項に記載の表示装置。
【請求項１０】
前記発光型表示パネルによる表示領域は、一部が前記表示器による表示領域の輪郭線の内側まで張り出していることを特徴とする請求項６乃至９の何れか一項に記載の表示装置。
【請求項１１】
前記表示器はメカニカルメータであることを特徴とする請求項６乃至１０の何れか一項に記載の表示装置。
【請求項１２】
請求項３乃至６の何れか一項に記載の表示装置の駆動方法であって、
表示制御部から前記複数の発光型表示パネルに１フレーム分の画像データを転送するにあたっては、
前記複数の発光型表示パネルの各々の１フレーム分の画像データをフレームメモリに記憶しておき、
当該フレームメモリに記憶されている画像データのｎ分の１に相当するラインデータを前記複数の発光型表示パネルに転送するデータ転送処理を行なった後、
次のｎ分の１に相当するラインデータを前記複数の発光型表示パネルに転送することを特徴とする表示装置の駆動方法。
【請求項１３】
前記データ転送処理では、前記ラインデータを、対応する前記発光型表示パネルに順次転送することを特徴とする請求項１２に記載の表示装置の駆動方法。
【請求項１４】
前記データ転送処理では、前記ラインデータを、対応する前記発光型表示パネルに同時転送することを特徴とする請求項１２に記載の表示装置の駆動方法。
【請求項１５】
前記複数の発光型表示パネルをデータ転送ラインでカスケード接続しておき、
前記データ転送処理では、前記ラインデータを前記複数の発光型表示パネル分、１つの発光型表示パネルに転送することを特徴とする請求項１２に記載の表示装置の駆動方法。
【発明の詳細な説明】
【技術分野】
【０００１】
本発明は、有機エレクトロルミネッセンス（以下、有機ＥＬという）などの発光型パネルを備えた表示装置、および複数の発光型パネルを備えた表示装置の駆動方法に関するものである。
【背景技術】
【０００２】
有機ＥＬパネルなどの発光型表示パネルは、液晶装置と比較して視野角が広く、かつ、明るい環境下でも画像を視認しやすいなどの利点がある。このため、車載用の表示装置などとして用いることが提案されている（特許文献１、２参照）。
【０００３】
このような表示装置では、通常、有機ＥＬパネルなどの発光型表示パネルの前面に遮光部材が配置され、遮光部材に形成された開口部から、発光型表示パネルで表示された画像を視認することになる。
【特許文献１】特開２００２−１０９８６８号公報
【特許文献２】特開２００１−８３９１３号公報
【発明の開示】
【発明が解決しようとする課題】
【０００４】
しかしながら、発光型表示パネルでは、液晶装置と違ってバックライト光の漏れがないので、黒を表示した領域の暗黒度に優れているという特徴が従来の表示装置では十分に活かされていないという問題点がある。すなわち、発光型表示パネルにおいて、画像表示領域の周辺が黒表示になった際に遮光部材との境目が見えにくいように、黒色の遮光部材を用いても、発光型表示パネルで表示された黒色領域と遮光部材の黒色とでは、暗黒度が相違するため、発光型表示パネルの画像と遮光部材との境目が目立ってしまうのである。
【０００５】
また、本願発明者は、発光型表示パネルを複数、面内方向に並べて意匠性の高い画像を表示することを提案するものである。しかしながら、発光型表示パネルを複数並べると、その境界部分が目立ってしまうという問題点がある。かかる問題点は、発光型表示パネルを端部同士が接するように並べても解消することができない。
【０００６】
さらに、本願発明者は、発光型表示パネルを複数、面内方向に並べて、連動した画像を表示することを提案するものである。しかしながら、１つの発光型表示パネルに１フレーム分の画像データを転送した後、次の発光型表示パネルに１フレーム分の画像データを転送する方式を採用すると、複数の発光型表示パネルにおいて画像が更新されるタイミングがずれるという問題点がある。かかる問題は、複数の発光型表示パネルを離間して配置した場合には気にならないが、複数の発光型表示パネルを隣接して配置すると、大きな違和感を有してしまう。
【０００７】
以上の問題点に鑑みて、本発明の課題は、発光型表示パネルと、発光型表示パネルの前面に配置された遮光部材との境目を目立たなくすることのできる表示装置を提供することにある。
【０００８】
次に、本発明の課題は、発光型表示パネルを複数、面内方向に並べても境界部分が目立つことなく、画像表示領域内で連続した画像として認識できる表示装置を提供することにある。
【０００９】
次に、本発明の課題は、発光型表示パネルを複数、面内方向に並べて、互いに連動する画像を表示したときでも、画像に違和感の発生しない表示装置の駆動方法を提供することにある。
【課題を解決するための手段】
【００１０】
上記課題を解決するために、本発明に係る表示装置では、発光型表示パネルと、該発光型表示パネルの前面に当該発光型表示パネルの画像表示領域を避けて設けられた黒色の遮光部材と、該遮光部材の前面および前記画像表示領域に対向するように設けられた円偏光板と、を有することを特徴とする。
【００１１】
本発明において、前記発光型表示パネルは、例えば、有機エレクトロルミネッセンス表示パネルである。
【００１２】
本発明では、遮光部材の前面に円偏光板が設けられているため、遮光部材の前面で反射した光が視認されない。すなわち、円偏光板を透過した光が遮光部材の前面で反射する際、逆回転の円偏光であるため、円偏光板を透過しない。このため、発光型表示パネルで表示された黒色領域と遮光部材の黒色とでは、暗黒度が同等であるため、発光型表示パネルの画像と遮光部材との境目が目立たない。従って、発光型表示パネルで表示した画像の外側領域で黒表示を行なった際、かかる外側領域と遮光部材とは一体の黒色領域となって画像の背景を構成することになる。それ故、発光型表示パネルでは優れた黒表示を行なうことができるという利点を最大限活かして、意匠性に優れた表示装置を構成することができる。
【００１３】
本発明において、前記発光型表示パネルは、複数が隣接して設けられ、前記遮光部材は、前記複数の発光型表示パネルのうち、隣接する発光型表示パネルの境界領域に前側で重なる境界遮光部を備えていることが好ましい。このように構成すると、隣接する発光型表示パネルの境界領域は、遮光部材の境界遮光部で隠され、見えない。また、遮光部材の前面に円偏光板が設けられているため、発光型表示パネルで表示した黒表示領域と境界遮光部とが繋がった状態に視認され、境界遮光部の存在が視認されない。従って、発光型表示パネルを複数で構成したことが分からない。
【００１４】
かかる構成を採用した場合、前記複数の発光型表示パネルのうち、隣接する発光型表示パネル同士は、端部が接していることが好ましい。遮光部材に形成した境界遮光部は非表示領域になるが、隣接する発光型表示パネルの端部が接している構成を採用すれば、境界遮光部の幅寸法を狭くすることができるので、隣接する発光型表示パネルの間に存在する非表示領域の幅寸法を狭くすることができる。
【００１５】
本発明において、発光型表示パネルを複数用いる場合、前記発光型表示パネルは、前記遮光部材に固定されていることが好ましい。このように構成すると、複数の発光型表示パネルを用いる場合でも、遮光部材と一体化したテバイスとして扱うことができる。それ故、表示装置の組み立て作業の効率を向上することができる。
【００１６】
本発明において、発光型表示パネルを複数用い、かつ、前記発光型表示パネルに対して面内方向で隣接する位置に別の表示器を有し、前記円偏光板の前には、前記表示器の背景を構成するベース板が設けられている場合、当該ベース板には、前記複数の発光型表示パネルの画像表示領域に重なる領域が連続して切り欠かれた切り欠きが形成されている構成を採用することが好ましい。このように構成すると、多くの情報を表示することができる。また、複数の発光型表示パネルの画像表示領域が繋がって大きな表示領域を構成しているように視認させることができる。また、かかる構成を採用した場合でも、本発明によれば、隣接する発光型表示パネルの境界領域は、遮光部材の境界遮光部で隠され、かつ、遮光部材の前面に円偏光板が設けられている。このため、発光型表示パネルで表示した黒表示領域と境界遮光部とが繋がった状態に視認され、境界遮光部の存在が視認されない。従って、発光型表示パネルを複数したことが分からない。
【００１７】
本発明において、前記発光型表示パネルに対して面内方向で隣接する位置に別の表示器を有し、前記円偏光板の前には、前記表示器の背景を構成するベース板が配置され、当該ベース板には、前記発光型表示パネルの画像表示領域に重なる領域が切り欠かれた切り欠きが形成されている構成となる。このように構成すると、多くの情報を表示することができる。
【００１８】
本発明において、前記ベース板を用いる場合、ベース板は黒色であることが好ましい。このように構成すると、ベース板および遮光部材が一体となって発光型表示装置および別の表示器に対する黒色の背景を構成するので、表示器および発光型表示装置との一体感を高めることができる。
【００１９】
本発明おいて、前記発光型表示パネルに対して面内方向で隣接する位置に別の表示器を設けられ、前記遮光部材は、前記表示器の背景を構成していることが好ましい。すなわち、前記遮光部材は、前記表示器のベース板を兼ねていることが好ましい。このように構成すると、別の表示器を設けて多くの情報を表示する場合でも部品点数を削減することができる。また、遮光部材は、発光型表示装置および別の表示器の双方に対する黒色の背景を構成するので、表示器および発光型表示装置との一体感を高めることができる。
【００２０】
本発明において、前記発光型表示パネルによる表示領域は、一部が前記表示器による表示領域の輪郭線の内側まで張り出していることが好ましい。このように構成すると、表示器および発光型表示装置との一体感を高めることができる。
【００２１】
本発明において、前記表示器は、例えばメカニカルメータである。
【００２２】
本発明では、発光型表示パネルを複数用いた表示装置の駆動方法において、表示制御部から前記複数の発光型表示パネルに１フレーム分の画像データを転送するにあたっては、前記複数の発光型表示パネルの各々の１フレーム分の画像データをフレームメモリに記憶しておき、当該フレームメモリに記憶されている画像データのｎ分の１に相当するラインデータを前記複数の発光型表示パネルに転送するデータ転送処理を行なった後、次のｎ分の１に相当するラインデータを前記複数の発光型表示パネルに転送することが好ましい。このように構成すると、複数の発光型表示パネルに１フレーム分の画像データを順次転送した場合と比較して、発光型表示パネルで画像を更新するタイミングのずれが目立たない。特に複数の発光型表示パネルを隣接して配置すると、かかるタイミングのずれが大きな違和感となるが、本発明によれば、かかる違和感の発生を防止することができる。
【００２３】
かかる駆動方法を採用するにあたっては、前記データ転送処理において、前記ラインデータを、対応する前記発光型表示パネルに順次転送する構成を採用すればよい。また、前記データ転送処理では、前記ラインデータを、対応する前記発光型表示パネルに同時転送してもよい。
【００２４】
さらに、前記複数の発光型表示パネルをデータ転送ラインでカスケード接続しておき、前記データ転送処理では、前記ラインデータを前記複数の発光型表示パネル分、１つの発光型表示パネルに転送するという構成を採用することもできる。
【発明を実施するための最良の形態】
【００２５】
以下、本発明の実施の形態を説明する。以下の説明で参照する図においては、各層や各部材を図面上で認識可能な程度の大きさとするため、各部材や各層の形状や縮尺を異ならしめてある。なお、有機ＥＬパネルでは、複数の画素がマトリクス状に配置された画素配列領域を備えているが、以下の説明では、有機ＥＬパネルに対して「画像表示領域」という用語も用いている。画素配列領域の全体が画像表示領域として利用されている場合には、画素配列領域と画像表示領域とは同一の領域を意味する。但し、画素配列領域の一部が遮光部材やベース板で覆われている場合、画像表示領域のうち、遮光部材やベース板から露出されている領域のみが画像表示領域として利用されることになるので、有機ＥＬパネルの画像表示領域は画素配列領域よりわずかに狭い領域を意味することになる。
【００２６】
［実施の形態１］
（表示装置の全体構成）
図１（ａ）、（ｂ）は、本発明の実施の形態１に係る表示装置を車のフロントパネルに搭載した様子を示す説明図、および表示装置を抜き出して示す正面図である。
【００２７】
図１（ａ）、（ｂ）において、本形態の表示装置５００は、車のフロントパネルに搭載されて、各種情報を表示する。また、表示装置５００は、中央の第１表示領域５１０と、第１表示領域５１０の両側に位置する第２表示領域５６０とを備えており、第１表示領域５１０は、後述する有機ＥＬパネル（発光型表示パネル）による表示を行なう。第２表示領域５６０には、速度メータ５６１、タコメータ５６２、冷却水の温度を示す水温計５６３、燃料の残量を示す燃料計５６４が配置され、かかるメータは、いずれも指針式のメカニカルメータである。また、第２表示領域５６０は、第１表示領域５１０の上方部分で左右が繋がっており、第１表示領域５１０の上部の左右には、ウインカーやハサードランプを採用した際の点滅ランプ５６５、５６６が配置されている。
【００２８】
かかる表示装置５００において、第１表示領域５１０は、逆Ｔ字形状を備えており、略台形形状の下半部５１５と、下半部５１５の左右方向の略中央部分から矩形形状をもって上方に突出する上半部５１６とからなる。ここで、下半部５１５の右半部５１２は、タコメータ５６２の円形文字板の内側まで張り出しており、左半部５１１は、速度メータ５６１の円形文字板の内側まで張り出している。
【００２９】
このようにして、本形態では、有機ＥＬパネルによる第１表示領域５１０は、メカニカルメータによる第２表示領域５６０の近傍（第２表示領域５６０の輪郭線の内側）まで張り出している。より具体的には、速度メータ５６１およびタコメータ５６２は全体として円形の表示領域になっているが、本形態では、速度メータ５６１およびタコメータ５６２は、円形の一部を切り欠いた形状になっており、かかる切り欠いた部分に第１表示領域５１０の端部が位置している。このため、第１表示領域５１０と第２表示領域５６０との一体感を高めることができる。
【００３０】
（各部材の構成）
図２（ａ）、（ｂ）は、本発明の実施の形態１に係る表示装置の要部を拡大して示す正面図、および画像を表示した様子を示す説明図である。図３（ａ）、（ｂ）は、本発明の実施の形態１に係る表示装置の分解斜視図、および有機ＥＬパネルを抜き出して示す説明図である。図４は、本発明の実施の形態１に係る表示装置に用いた各部材の位置関係を示す説明図である。
【００３１】
図２（ａ）に示すように、第１表示領域５１０の上半部５１６は、「Ｐ」「Ｒ」「Ｎ」「Ｄ」からなる文字によって運転モードを表示するとともに、走行距離を数字表示するようになっている。下半部５１５に右半部５１２は、時計を図形表示しており、左半部５１１は、日時や温度を文字表示するようになっている。
【００３２】
図２（ａ）および図３（ａ）、（ｂ）に示すように、表示装置５００を構成するにあたって、本形態では、後側から前側に向かって、３枚の有機ＥＬパネル１００Ａ、１００Ｂ、１００Ｃと、板状の遮光部材１２０と、遮光部材１２０の前側で遮光部材１２０および３枚の有機ＥＬパネル１００Ａ、１００Ｂ、１００Ｃの画素配列領域１０ａに対向する円偏光板１３０と、ベース板６００とが順に配置されている。
【００３３】
３枚の有機ＥＬパネル１００Ａ、１００Ｂ、１００Ｃは、第１表示領域５１０の上半部５１６、下半部５１５の右半部５１２、および下半部５１５の左半部５１１を構成するように、逆Ｔ字形に配置されている。また、下半部に配置された有機ＥＬパネル１００Ａ、１００Ｃは、一方端を構成する辺部同士が接するように配置され、上半部に配置された有機ＥＬパネル１００Ｂは、下端部を構成する辺部が下半部の有機ＥＬパネル１００Ａ、１００Ｃの側端辺に接するように配置されている。３枚の有機ＥＬパネル１００Ａ、１００Ｂ、１００Ｃは、他の有機ＥＬパネルと接する側の端部と反対側の端部の前面側に駆動用ＩＣ６０が実装されており、駆動用ＩＣ６０よりもさらに端にはフレキシブル基板４０が接続されている。フレキシブル基板４０は、有機ＥＬパネル１００Ａ、１００Ｂ、１００Ｃの端部で折り曲げられて有機ＥＬパネル１００Ａ、１００Ｂ、１００Ｃの後面側で、表示装置５００の表示制御部（図示せず）に接続されている。本形態において、３枚の有機ＥＬパネル１００Ａ、１００Ｂ、１００Ｃはいずれも、有機ＥＬ素子などが構成された素子基板１０と、この素子基板１０において有機ＥＬ素子などが形成されている面側に貼られた封止基板２０とを備えている。素子基板１０および封止基板２０はいずれも０．５ｍｍ程度の厚さであり、有機ＥＬパネル１００Ａ、１００Ｂ、１００Ｃの厚さは１ｍｍ程度である。
【００３４】
遮光部材１２０は、第１表示領域５１０に対応する逆Ｔ字形の外形形状を備えており、上半部１２９および下半部１２８には、有機ＥＬパネル１００Ａ、１００Ｂ、１００Ｃの画素配列領域１０ａのうち、画像表示領域１０ｂとして利用される部分と対向する部分に開口部１２１、１２２、１２６が形成されている。従って、遮光部材１２０は、有機ＥＬパネル１００Ａ、１００Ｂ、１００Ｃの画像表示領域１０ｂを避けるように配置されていることになる。なお、有機ＥＬパネル１００Ａ、１００Ｂ、１００Ｃの画素配列領域１０ａの外側には、黒色遮光部（図示せず）が所定の領域に配置されているが、黒色遮光部が配置されていない領域や、有機ＥＬパネル１００Ａ、１００Ｂ、１００Ｃを構成する部材を貼り合わせるためのシール部材が配置されている領域が少なからず存在する。従って、遮光部材１２０は、画像表示領域１０ｂとして利用される部分と対向する部分に開口部１２１、１２２、１２６を備えているとともに、これら黒色遮光部が配置されていない領域やシール部材が配置されている領域等、視認されて欲しくない領域を外光から遮光するように配置されていることが望ましい。
【００３５】
また、遮光部材１２０は、下半部１２８に形成された２つの開口部１２１、１２２の間には、有機ＥＬパネル１００Ａと有機ＥＬパネル１００Ｃとの境界部分１０６に対して前側で重なる帯状の境界遮光部１２３を備えている。また、遮光部材１２０において、上半部１２９と下半部１２８との連接部分には、有機ＥＬパネル１００Ａと有機ＥＬパネル１００Ｂ、１００Ｃとの境界部分１０７に対して前側で重なる帯状の境界遮光部１２４を備えている。
【００３６】
かかる遮光部材１２０は、厚さが０．２ｍｍ程度の金属板の表面に黒色の塗装を施したものであり、黒色である。
【００３７】
円偏光板１３０は、遮光部材１２０全体を覆うサイズの矩形シートであり、直線偏光フィルムと１／４位相差フィルム（１／波長板）とを貼り合せた構造になっている。かかる円偏光板１３０の厚さは２ｍｍ程度である。本形態では、円偏光板１３０として、直線偏光フィルムと１／４位相差フィルムとが貼り合せたものを用いているが、直線偏光フィルムと１／４位相差フィルムとが各々別体になっているものを用いてもよい。
【００３８】
ベース板６００は、第２表示領域５６０の背景を構成しており、黒色樹脂製のパネル状である。従って、ベース板６００には、図１（ａ）、（ｂ）および図２（ａ）に示すように、速度メータ５６１、タコメータ５６２、水温計５６３、燃料計５６４などに対する文字板を構成する数字や目盛りが印刷されている。また、ベース板６００には、第１表示領域５１０に相当する領域に切り欠き６１０が形成されている。かかる切り欠き６１０も、下半部６０５および上半部６０６によって逆Ｔ字形状に形成されている。また、切り欠き６１０は、第１表示領域５１０を構成する有機ＥＬパネル１００Ａ、１００Ｂ、１００Ｃの画像表示領域１０ｂや遮光部材１２０の開口部１２１、１２２、１２６と重なる領域が連続して切り欠かれた形状になっている。本形態では、かかる切り欠き６１０によって、タコメータ５６２や速度メータ５６１の文字板の一部が途切れた構造になっている。但し、上半部６０６の根元部分では、第１表示領域５１０に向けて突出した小突起によって、切り欠き６１０に凹み６０８、６０９が形成されており、凹み６０８、６０９の分だけ、第２表示領域５６０が第１表示領域５１０に食い込んだ形状になっている。
【００３９】
このような構成の有機ＥＬパネル１００Ａ、１００Ｂ、１００Ｃ、遮光部材１２０、円偏光板１３０、およびベース板６００を重ねると、ベース板６００の切り欠き６１０、遮光部材１２０の開口部１２１、１２２、１２６、および有機ＥＬパネル１００Ａ、１００Ｂ、１００Ｃの位置関係は図４に示すようになる。
【００４０】
図４に示すように、まず、有機ＥＬパネル１００Ａ、１００Ｂ、１００Ｃ（外形を二点鎖線で示す）は、遮光部材１２０の開口部１２１、１２２、１２６（細い実線で示す）より大きく、開口部１２１、１２２、１２６からは有機ＥＬパネル１００Ａ、１００Ｂ、１００Ｃの画素配列領域１０ａのみが見える。また、隣接する有機ＥＬパネル１００Ａ、１００Ｂ、１００Ｃの境界部分１０６、１０７は、遮光部材１２０の境界遮光部１２３、１２４で覆われている。かかる境界遮光部１２３、１２４は、ベース板６００の切り欠き６１０（太い実線で示す）から露出している。
【００４１】
ベース板６００の切り欠き６１０は、遮光部材１２０において開口部１２１、１２２、１２６が形成されている領域よりわずかに大きい。このため、ベース板６００の切り欠き６１０からは、遮光部材１２０の開口部１２１、１２２、１２６の周辺部分がわずかに露出した状態にある。
【００４２】
なお、ベース板６００の切り欠き６１０を遮光部材１２０において開口部１２１、１２２、１２６が形成されている領域より小さくする構成も好ましい。すなわち、遮光部材１２０の開口部１２１、１２２、１２６をベース板の切り欠き６１０よりも大きくし、遮光部材１２０の一部をベース板６００で覆う構成である。但し、このような構成を採用した場合でも、遮光部材１２０の境界遮光部１２３、１２４は、ベース板６００の切り欠き６１０から露出している。すなわち、いずれの構成を採用した場合も、遮光部材１２０の一部はベース板６００の切り欠き６１０から露出することになる。
【００４３】
また、図４において、ベース板６００の凹み６０８の左端から左側に伸びる縁、凹み６０９の右端から右側に伸びる縁により形成される切り欠きの縁の位置を、境界部分１０７に対して意図的にずらして配置するのも好ましい。この場合、意図的なずらし量としては、有機ＥＬパネル１００Ａ、１００Ｂ、１００Ｃの画素配列領域１０ａに、凹み６０８から左側に伸びる縁、凹み６０９から右側に伸びる縁により形成される切り欠きの縁の延長線が含まれる量とするのが好ましい。
【００４４】
（本形態の構造上の作用、主な効果）
このように構成した表示装置５００において、有機ＥＬパネル１００Ａ、１００Ｂ、１００Ｃでの表示を停止している間、図１（ｂ）に示すように、第１表示領域５１０の全体が暗黒領域である。また、ベース板６００の切り欠き６１０からは、遮光部材１２０の開口部１２１、１２２、１２６の周辺部分や、境界遮光部１２３、１２４が露出しているが、遮光部材１２０は金属板の表面に黒色の塗装が施された構成を備え、かつ、遮光部材１２０の前面には円偏光板１３０が配置されている。このため、有機ＥＬパネル１００Ａ、１００Ｂ、１００Ｃの画素配列領域１０ａと、遮光部材１２０との境目が視認できない。すなわち、円偏光板１３０を透過した光が遮光部材１２０や有機ＥＬパネル１００Ａ、１００Ｂ、１００Ｃの画像配列領域１０ａで反射する際、逆回転の円偏光になるため、円偏光板１３０を透過せず、視認されない。従って、有機ＥＬパネル１００Ａ、１００Ｂ、１００Ｃの画素配列領域１０ａと、遮光部材１２０との境目が目立たない。また、本形態では、ベース板６００も黒色であるため、ベース板６００、遮光部材１２０および有機ＥＬパネル１００Ａ、１００Ｂ、１００Ｃの画素配列領域１０ａが一体の黒領域になっている。
【００４５】
また、表示装置５００において表示を行なうと、図２（ｂ）に示すように、第１表示領域５１０では、有機ＥＬパネル１００Ａ、１００Ｂ、１００Ｃによって各種の情報が表示される。その際、第１表示領域５１０の外周領域は黒領域となる。しかも、有機ＥＬパネル１００Ａ、１００Ｂ、１００Ｃは発光型表示パネルであるため、黒領域は暗黒領域となる。この状態でも、有機ＥＬパネル１００Ａ、１００Ｂ、１００Ｃの画素配列領域１０ａと、遮光部材１２０との境目が視認できない。すなわち、円偏光板１３０を透過した光が遮光部材１２０や有機ＥＬパネル１００Ａ、１００Ｂ、１００Ｃで表示された暗黒の外周領域で反射する際、逆回転の円偏光になるため、円偏光板１３０を透過せず、視認されない。従って、有機ＥＬパネル１００Ａ、１００Ｂ、１００Ｃの画素配列領域１０ａと、遮光部材１２０との境目が目立たない。また、本形態では、ベース板６００も黒色であるため、ベース板６００、遮光部材１２０および有機ＥＬパネル１００Ａ、１００Ｂ、１００Ｃの画素配列領域１０ａの外周領域が一体の黒の背景領域となる。
【００４６】
このように本形態の表示装置５００では、遮光部材１２０の前面に円偏光板１３０が設けられているため、遮光部材１２０の前面で反射した光が視認されない。このため、有機ＥＬパネル１００Ａ、１００Ｂ、１００Ｃで情報を表示しても、有機ＥＬパネル１００Ａ、１００Ｂ、１００Ｃで表示された暗黒領域と、遮光部材１２０との境目が視認できない。それ故、有機ＥＬパネル１００Ａ、１００Ｂ、１００Ｃで表示された暗黒領域と、遮光部材１２０とは一体の黒色領域となって画像の背景を構成することになる。それ故、有機ＥＬパネル１００Ａ、１００Ｂ、１００Ｃでは優れた黒表示を行なうことができるという利点を最大限活かして、表示装置５００の意匠性を高めることができる。
【００４７】
また、有機ＥＬパネル１００Ａ、１００Ｂ、１００Ｃの境界領域は、遮光部材１２０の境界遮光部１２３、１２４で隠され、見えない。また、遮光部材１２０の前面に円偏光板１３０が設けられているため、有機ＥＬパネル１００Ａ、１００Ｂ、１００Ｃで表示した黒色領域と境界遮光部１２３、１２４とが繋がった状態に視認され、境界遮光部１２３、１２４の存在が視認されない。従って、第１表示領域５１０が３枚の有機ＥＬパネル１００Ａ、１００Ｂ、１００Ｃによって構成されていることが分からない。
【００４８】
さらに、遮光部材１２０の開口部１２１、１２２、１２６をベース板の切り欠き６１０よりも大きくし、遮光部材１２０の一部をベース板６００で覆う構成とした場合、遮光部材１２０がより視認されなくなる。
【００４９】
また、ベース板６００の凹み６０８の左端から左側に伸びる縁、凹み６０９の右端から右側に伸びる縁により形成される切り欠きの縁の位置を、境界部分１０７に対して意図的にずらして配置した場合においては、凹み６０８から左側に伸びる縁、凹み６０９から右側に伸びる縁の延長線により形成される主観的輪郭線と、境界遮光部１２４とをずらすことになる。その結果、境界遮光部１２４の存在がより効果的に視認されなくなる。従って、画像表示領域内で連続した画像として認識でき、表示装置５００の意匠性をより高めることができる。
【００５０】
しかも、本形態では、有機ＥＬパネル１００Ａ、１００Ｂ、１００Ｃの端部が接しているため、境界部分１０６、１０７、および遮光部材１２０の境界遮光部１２３、１２４の幅寸法を狭くすることができる。それ故、隣接する有機ＥＬパネル１００Ａ、１００Ｂ、１００Ｃの間に存在する非表示領域の幅寸法を狭くすることができる。
【００５１】
また、有機ＥＬパネル１００Ａ、１００Ｂ、１００Ｃによる第１表示領域５１０に対して面内方向で隣接する位置に、別の表示器（メカニカルメータ）による第２表示領域５６０が配置されているが、第１表示領域５１０の一部が第２表示領域５６０の内側まで張り出している。このため、第１表示領域５１０で表示された画像と第２表示領域５６０で表示された画像の一体感を高めることができる。しかも、第２表示領域５６０の背景を構成するベース板６００も黒色であるため、ベース板６００、遮光部材１２０および有機ＥＬパネル１００Ａ、１００Ｂ、１００Ｃの画素配列領域１０ａの黒表示領域が一体の黒の背景領域となる。それ故、表示装置５００では、表示された情報が鮮明かつ明瞭であるため、車載用など、環境照度が大きく変動する条件で使用される場合に特に便利である。
【００５２】
［実施の形態２］
図５は、本発明の実施の形態２に係る表示装置の説明図である。なお、本形態の表示装置の基本的な構成は実施の形態１と同様であるため、共通する部分については同一の符号を付して、それらの説明を省略する。
【００５３】
本形態でも、図１および図２に示す表示装置５００を構成するにあたって、本形態では、後側から前側に向かって、３枚の有機ＥＬパネル１００Ａ、１００Ｂ、１００Ｃと、板状の遮光部材１２０と、円偏光板１３０とを順に配置する。ここで、遮光部材１２０は、円偏光板１３０と略同一サイズの矩形である。本形態では、３枚の有機ＥＬパネル１００Ａ、１００Ｂ、１００Ｃを予め遮光部材１２０に固定しておき、表示用モジュール１１０として一体化しておく。このため、表示装置５００を組み立てる際、３枚の有機ＥＬパネル１００Ａ、１００Ｂ、１００Ｃおよび遮光部材１２０を表示用モジュール１１０として組み込めばよいので、表示装置５００の組み立て作業を効率よく行なうことができる。
【００５４】
また、円偏光板１３０についても、３枚の有機ＥＬパネル１００Ａ、１００Ｂ、１００Ｃと同様、遮光部材１２０に貼り付けた表示用モジュール１１０を構成してもよい。この場合には、表示装置５００の組み立て作業をさらに効率よく行なうことができる。
【００５５】
［実施の形態３］
図６は、本発明の実施の形態３に係る表示装置の説明図である。なお、本形態の表示装置の基本的な構成は実施の形態１と同様であるため、共通する部分については同一の符号を付して、それらの説明を省略する。
【００５６】
本形態でも、図１および図２に示す表示装置５００を構成するにあたって、本形態では、後側から前側に向かって、３枚の有機ＥＬパネル１００Ａ、１００Ｂ、１００Ｃと、板状の遮光部材１２０と、円偏光板１３０とを順に配置する。ここで、遮光部材１２０は、スピードメータ５６１やタコメータ５６２などの第２表示領域５６０の背景として用いられており、図３（ａ）などに示すベース板６００が用いられていない。このため、表示装置５００の部品点数を削減することができるので、表示装置５００の薄型化、軽量化、低コスト化を図ることができる。
【００５７】
かかる構成でも、遮光部材１２０は、黒色であり、有機ＥＬパネル１００Ａ、１００Ｂ、１００Ｃにより第１表示領域５１０の背景、および第２表示領域５６０の背景を構成する。かかる構成の場合でも、遮光部材１２０の前側には円偏光板１３０が配置されているため、有機ＥＬパネル１００Ａ、１００Ｂ、１００Ｃの黒表示領域と、遮光部材１２０とは、一体の黒の背景領域となる。
【００５８】
［表示装置５００の駆動方法］
上記実施の形態では、３つの有機ＥＬパネル１００Ａ、１００Ｂ、１００Ｃを備えていることから、有機ＥＬパネル１００Ａ、１００Ｂ、１００Ｃで表示される画像を連動させることができる。この場合、表示制御部は、有機ＥＬパネル１００Ａ、１００Ｂ、１００Ｃに対して共通の表示制御部を設けることが好ましい。その際、表示制御部は、３つの有機ＥＬパネル１００Ａ、１００Ｂ、１００Ｃのうち、１つの有機ＥＬパネル１００Ａに１フレーム分の画像データを転送した後、次の有機ＥＬパネル１００Ｂに１フレーム分の画像データを転送し、しかる後に、次の有機ＥＬパネル１００Ｃに１フレーム分の画像データを転送する方式を採用すればよい。但し、かかる方式を採用すると、３つの有機ＥＬパネル１００Ａ、１００Ｂ、１００Ｃにおいて画像が更新されるタイミングがずれる。従って、図８〜図１０を参照して説明する方式の駆動方法を採用することが好ましい。
【００５９】
以下、有機ＥＬパネル１００Ａ、１００Ｂ、１００Ｃの電気的な構成を説明した後、図８〜図１０を参照して本形態の駆動方法を説明する。
【００６０】
（有機ＥＬパネル１００Ａ、１００Ｂ、１００Ｃおよび有機ＥＬ装置の構成）
図７は、本発明を適用した有機ＥＬ装置の電気的な構成を示す等価回路図である。図７に示すように、有機ＥＬ装置１００ｘにおいて、有機ＥＬパネル１００Ａ、１００Ｂ、１００Ｃは、素子基板１０上に、複数の走査線３ａと、走査線３ａに対して交差する方向に延びる複数のデータ線６ａと、走査線３ａに対して並列して延在する複数の電源線３ｅとを有している。また、素子基板１０において、矩形形状の画素配列領域１０ａ（画素領域）には複数の画素１０ｅがマトリクス状に配列されている。かかる有機ＥＬパネル１００Ａ、１００Ｂ、１００Ｃにおいては、画素配列領域１０ａの全体が画像表示領域１０ｂとして利用されている場合と、画素配列領域１０ａの一部が図３などを参照して説明した遮光部材１２０やベース板６００で覆われて残りの領域のみが画像表示領域１０ｂとして利用される場合とがある。
【００６１】
データ線６ａにはデータ線駆動回路１０１が接続され、走査線３ａには走査線駆動回路１０４が接続されている。データ線駆動回路１０１は、後述する画像表示制御回路から出力された画像データおよび制御信号に基づいて各データ線６ａに画像信号を出力し、走査線駆動回路１０４は、後述する画像表示制御回路から出力された制御信号に基づいて各走査線３ａに走査信号を出力する。本形態では、データ線駆動回路１０１および走査線駆動回路１０４は、図３（ｂ）に示す駆動用ＩＣ６０に内蔵されている。
【００６２】
有機ＥＬパネル１００Ａ、１００Ｂ、１００Ｃにおいて、画素１０ｅの各々には、走査線３ａを介して走査信号がゲート電極に供給されるスイッチング用の薄膜トランジスタ３０ｂと、このスイッチング用の薄膜トランジスタ３０ｂを介してデータ線６ａから供給される画像信号を保持する保持容量７０と、保持容量７０によって保持された画像信号がゲート電極に供給される駆動用の薄膜トランジスタ３０ｃと、この薄膜トランジスタ３０ｃを介して電源線３ｅに電気的に接続したときに電源線３ｅから駆動電流が流れ込む第１電極８１（陽極層）と、この第１電極８１と陰極層との間に有機機能層が挟まれた有機ＥＬ素子８０とが形成されている。
【００６３】
かかる構成によれば、走査線３ａが駆動されてスイッチング用の薄膜トランジスタ３０ｂがオンになると、そのときのデータ線６ａの電位が保持容量７０に保持され、保持容量７０が保持する電荷に応じて、駆動用の薄膜トランジスタ３０ｃのオン・オフ状態が決まる。そして、駆動用の薄膜トランジスタ３０ｃのチャネルを介して、電源線３ｅから第１電極８１に電流が流れ、さらに有機機能層を介して対極層に電流が流れる。その結果、有機ＥＬ素子８０は、これを流れる電流量に応じて発光する。
【００６４】
有機ＥＬパネル１００Ａ、１００Ｂ、１００Ｃにおいて、複数の画素１０ｅは各々、赤色（Ｒ）、緑色（Ｇ）、青色（Ｂ）に対応し、赤色（Ｒ）、緑色（Ｇ）、青色（Ｂ）の３つの画素１０ｅによって１つのピクセルを構成している。本形態において、有機ＥＬ素子８０は、白色光、または赤色（Ｒ）、緑色（Ｇ）、青色（Ｂ）の混合色光が出射され、画素１０ｅが赤色（Ｒ）、緑色（Ｇ）、青色（Ｂ）のいずれに対応するかは、カラーフィルタ層によって規定されている。また、有機ＥＬ素子８０自身が、対向する色の光が出射する場合もある。
【００６５】
なお、図７に示す構成では、電源線３ｅは走査線３ａと並列していたが、電源線３ｅがデータ線６ａに並列している構成を採用してもよい。また、図７に示す構成では、電源線３ｅを利用して保持容量７０を構成していたが、電源線３ｅとは別に容量線を形成し、かかる容量線によって保持容量７０を構成してもよい。
【００６６】
（駆動方法の第１例）
図８は、本発明を適用した表示装置５００の駆動方法の第１例を示す説明図であり、図８（ａ）は、表示制御部などのブロック、および転送される画像データの説明図である。
【００６７】
図８（ａ）に示すように、表示制御部２００は、表示制御回路２１０およびフレームメモリ２２０を備えており、表示制御回路２１０は、上位の制御部から出力された画像データに基づいて、３つの有機ＥＬパネル１００Ａ、１００Ｂ、１００Ｃの１フレーム分の画像データＤ（Ａ）、Ｄ（Ｂ）、Ｄ（Ｃ）を生成してフレームメモリ２２０に一時記憶しておく。また、表示制御回路２１０は、フレームメモリ２２０に記憶されている画像データのｎ分の１に相当するラインデータ、例えば、１ライン分のラインデータを制御信号とともに転送ライン２３１、２３２、２３３を介して有機ＥＬパネル１００Ａ、１００Ｂ、１００Ｃに転送するデータ転送処理を行なった後、次の１ライン分のラインデータを制御信号とともに有機ＥＬパネル１００Ａ、１００Ｂ、１００Ｃに転送する。表示制御回路２１０は、かかるデータ転送処理を１フレーム分の画像データを転送し終えるまで繰り返す。そして、１フレーム分の画像データの終了した後、同様な方法で次の１フレーム分の画像データの転送を行なう。
【００６８】
ここで、表示制御回路２１０は、データ転送処理の際、図８（ｂ）に示すように、１ライン分の画像データＤ（Ａ）１有機ＥＬパネル１００Ａに転送した後、１ライン分の画像データＤ（Ｂ）１を有機ＥＬパネル１００Ｂに転送し、しかる後に、１ライン分の画像データＤ（Ｃ）１を有機ＥＬパネル１００Ｃに転送する。そして、かかるデータ転送処理を繰り返す。
【００６９】
このような構成によれば、１フレーム分の画像データ毎に有機ＥＬパネル１００Ａ、１００Ｂ、１００Ｃに転送する場合と比較して、有機ＥＬパネル１００Ａ、１００Ｂ、１００Ｃでの画像更新のずれが目立たない。特に有機ＥＬパネル１００Ａ、１００Ｂ、１００Ｃを隣接して配置すると、かかるずれが大きな違和感となるが、本形態によれば、かかる違和感の発生を防止することができる。
【００７０】
（駆動方法の第２例）
図９は、本発明を適用した表示装置５００の駆動方法の第２例を示す説明図であり、図９（ａ）は、表示制御部などのブロック、および転送される画像データの説明図である。
【００７１】
図９（ａ）に示すように、本形態でも、表示制御部２００は、表示制御回路２１０およびフレームメモリ２２０を備えており、表示制御回路２１０は、上位の制御部から出力された画像データに基づいて、３つの有機ＥＬパネル１００Ａ、１００Ｂ、１００Ｃの１フレーム分の画像データＤ（Ａ）、Ｄ（Ｂ）、Ｄ（Ｃ）を生成してフレームメモリ２２０に一時記憶しておく。また、表示制御回路２１０は、フレームメモリ２２０に記憶されている画像データのｎ分の１に相当するラインデータ、例えば、１ライン分のラインデータを制御信号とともに転送ライン２４１、２４２、２４３を介して有機ＥＬパネル１００Ａ、１００Ｂ、１００Ｃに転送するデータ転送処理を行なった後、次の１ライン分のラインデータを制御信号とともに有機ＥＬパネル１００Ａ、１００Ｂ、１００Ｃに転送する。
【００７２】
ここで、表示制御回路２１０は、バッファ２１５を備えており、フレームメモリ２２０から各有機ＥＬパネル１００Ａ、１００Ｂ、１００Ｃの１ライン分のラインデータをバッファ２１５に保持した後、図９（ｂ）に示すように、画像データＤ（Ａ）１、Ｄ（Ｂ）１、画像データＤ（Ｃ）１を有機ＥＬパネル１００Ａ、１００Ｂ、１００Ｃに同時に転送する。そして、かかるデータ転送処理を繰り返す。
【００７３】
このような構成でも、１フレーム分の画像データ毎に有機ＥＬパネル１００Ａ、１００Ｂ、１００Ｃに転送する場合と比較して、有機ＥＬパネル１００Ａ、１００Ｂ、１００Ｃでの画像更新のずれが目立たないなど、第１例と同様な効果を奏する。
【００７４】
（駆動方法の第３例）
図１０は、本発明を適用した表示装置５００の駆動方法の第３例を示す説明図であり、図１０（ａ）は、表示制御部などのブロック、および転送される画像データの説明図である。
【００７５】
図１０（ａ）に示すように、本形態でも、表示制御部２００は、表示制御回路２１０およびフレームメモリ２２０を備えており、表示制御回路２１０は、上位の制御部から出力された画像データに基づいて、３つの有機ＥＬパネル１００Ａ、１００Ｂ、１００Ｃの１フレーム分の画像データＤ（Ａ）、Ｄ（Ｂ）、Ｄ（Ｃ）を生成してフレームメモリ２２０に一時記憶しておく。また、表示制御回路２１０は、フレームメモリ２２０に記憶されている画像データのｎ分の１に相当するラインデータ、例えば、１ライン分のラインデータを制御信号とともに有機ＥＬパネル１００Ａ、１００Ｂ、１００Ｃに転送するデータ転送処理を行なった後、次の１ライン分のラインデータを制御信号とともに有機ＥＬパネル１００Ａ、１００Ｂ、１００Ｃに転送する。
【００７６】
ここで、有機ＥＬパネル１００Ａ、１００Ｂ、１００Ｃは、転送ライン２５６、２５７によってカスケード接続されている。そこで、表示制御回路２１０は、図１０（ｂ）に示すように、有機ＥＬパネル１００Ａ、１００Ｂ、１００Ｃに対するラインデータＤ（Ａ）１、Ｄ（Ｂ）１、Ｄ（Ｃ）１を一括して転送ライン２５１に転送する。次に、表示制御回路２１０は、有機ＥＬパネル１００Ａ、１００Ｂ、１００Ｃに対する次のラインデータＤ（Ａ）２、Ｄ（Ｂ）２、Ｄ（Ｃ）２を一括して転送ライン２５１に転送する。その際、表示制御回路２１０は、転送ライン２５１、２５２、２５３を介して制御信号を有機ＥＬパネル１００Ａ、１００Ｂ、１００Ｃに転送する。従って、有機ＥＬパネル１００Ａ、１００Ｂ、１００Ｃでは、制御信号に基づいて、供給されてくるラインデータのうち、所定のラインデータに基づいて画像を表示する。
【００７７】
このような構成でも、１フレーム分の画像データ毎に有機ＥＬパネル１００Ａ、１００Ｂ、１００Ｃに転送する場合と比較して、有機ＥＬパネル１００Ａ、１００Ｂ、１００Ｃでの画像更新のずれが目立たないなど、第１例と同様な効果を奏する。
【００７８】
なお、図１０（ａ）、（ｂ）を参照して説明した構成において、各有機ＥＬパネル１００Ａ、１００Ｂ、１００Ｃに所定の識別コードを付しておき、ラインデータを転送する際、識別コードに対応するＩＤデータをラインデータに付して転送してもよい。かかる構成によれば、有機ＥＬパネル１００Ａ、１００Ｂ、１００Ｃでは、ラインデータに付与されたＩＤデータに基づいて、所定のラインデータを選択して表示を行なうことができる。
【００７９】
［他の実施の形態］
上記実施の形態では、３つの有機ＥＬパネル１００Ａ、１００Ｂ、１００Ｃを用いた例を説明したが、１つの有機ＥＬパネルを用いた表示装置に本発明を適用してもよい。
【００８０】
上記実施の形態では、発光型表示パネルとして有機ＥＬパネルを用いた例に説明したが、プラズマ表示装置などの発光型表示パネルを用いた表示装置に本発明を適用してもよい。また、上記、表示装置５００の駆動方法においては、プラズマ表示装置などの発光型表示パネルを用いた表示装置はもちろんのこと、液晶表示装置や電気泳動表示装置などの受光型表示パネルを含む電気光学表示装置に本発明を適用してもよい。
【００８１】
上記実施の形態では、１ライン分の画像データを３つの有機ＥＬパネル１００Ａ、１００Ｂ、１００Ｃに転送した後、次の１ライン分の画像データを３つの有機ＥＬパネル１００Ａ、１００Ｂ、１００Ｃに転送したが、複数ライン分の画像データを３つの有機ＥＬパネル１００Ａ、１００Ｂ、１００Ｃに転送した後、次の複数ライン分の画像データを３つの有機ＥＬパネル１００Ａ、１００Ｂ、１００Ｃに転送してもよい。すなわち、画像データのｎ分の１に相当するラインデータを３つの有機ＥＬパネル１００Ａ、１００Ｂ、１００Ｃに転送した後、次のｎ分の１に相当するラインデータを３つの有機ＥＬパネル１００Ａ、１００Ｂ、１００Ｃに転送すればよい。
【図面の簡単な説明】
【００８２】
【図１】（ａ）、（ｂ）は、本発明の実施の形態１に係る表示装置を車のフロントパネルに搭載した様子を示す説明図、および表示装置を抜き出して示す正面図である。
【図２】（ａ）、（ｂ）は、本発明の実施の形態１に係る表示装置の要部を拡大して示す正面図、および画像を表示した様子を示す説明図である。
【図３】（ａ）、（ｂ）は、本発明の実施の形態１に係る表示装置の分解斜視図、および有機ＥＬパネルを抜き出して示す説明図である。
【図４】本発明の実施の形態１に係る表示装置に用いた各部材の位置関係を示す説明図である。
【図５】本発明の実施の形態２に係る表示装置の説明図である。
【図６】本発明の実施の形態３に係る表示装置の説明図である。
【図７】本発明を適用した有機ＥＬ装置の電気的な構成を示す等価回路図である。
【図８】本発明を適用した表示装置の駆動方法の第１例を示す説明図である。
【図９】本発明を適用した表示装置の駆動方法の第２例を示す説明図である。
【図１０】本発明を適用した表示装置の駆動方法の第３例を示す説明図である。
【符号の説明】
【００８３】
１０ａ・・画素配列領域、１０ｂ・・画像表示領域、１０ｅ・・画素、１００Ａ、１００Ｂ、１００Ｃ・・有機ＥＬパネル（発光型表示パネル）、１２０・・遮光部材、１２１、１２２、１２６・・遮光部材の開口部、１２３、１２４・・遮光部材の境界遮光部、１３０・・円偏光板、２００・・表示制御部、５００・・表示装置、５１０・・第１表示領域、５６０・・第２表示領域、６００・・ベース板、６１０・・ベース板の切り欠き
【図１】
2010107551.tif 000003
【図２】
2010107551.tif 000004
【図３】
2010107551.tif 000005
【図４】
2010107551.tif 000006
【図５】
2010107551.tif 000007
【図６】
2010107551.tif 000008
【図７】
2010107551.tif 000009
【図８】
2010107551.tif 000010
【図９】
2010107551.tif 000011
【図１０】
2010107551.tif 000012